(57)【要約】【課題】マットレスの大きさを容易に変更することができるマットレスを提供すること、並びに、マットレスの大きさを変更するのに使用されていない部材を、使用者の姿勢が楽になるように補助する補助具として利用することができるマットレス拡張部材を提供することである。【解決手段】本体２と、拡張部材３と、本体２に拡張部材３を着脱可能に連結する連結手段４を有し、連結手段４を介して本体２に拡張部材３を連結することにより大きさを拡張できるマットレス１であって、本体２に連結されていない拡張部材３は、マットレス使用者の楽な姿勢に応じて形態を変更可能である。拡張部材３は、容易に本体２に連結してマットレスを構成することができる。また、本体２に連結されていない拡張部材３は、形態を変更して使用者の楽な姿勢を維持するのに供することができる。【選択図】図１
2020124457.tif 000002
【特許請求の範囲】
【請求項１】
本体と、拡張部材と、本体に拡張部材を着脱可能に連結する連結手段を有し、前記連結手段を介して本体に拡張部材を連結することにより大きさを拡張できるマットレスであって、
前記拡張部材は、本体よりも小さく、且つ、本体の長手方向の長さを拡張するものであることを特徴とするマットレス。
【請求項２】
前記本体に連結されていない前記拡張部材は、形態を変更可能であることを特徴とする請求項１に記載のマットレス。
【請求項３】
前記連結手段は、前記拡張部材を包含する包含部材で構成されており、
拡張部材を包含した前記包含部材が、前記本体に着脱可能であることを特徴とする請求項１又は２に記載のマットレス。
【請求項４】
前記包含部材が、本体に対して釦で固定されることを特徴とする請求項３に記載のマットレス。
【請求項５】
前記拡張部材が、複数の分割片から成ることを特徴とする請求項１乃至４のいずれかに記載のマットレス。
【請求項６】
前記拡張部材は、ヒンジ部を有し、
前記ヒンジ部を中心に回動させることによって前記拡張部材の形態を変更可能であることを特徴とする請求項１乃至５のいずれかに記載のマットレス。
【請求項７】
前記連結手段は、前記本体におけるマットレス使用者の足を載置する側に設けられていることを特徴とする請求項１乃至６のいずれかに記載のマットレス。
【請求項８】
マットレスの長手方向に並んだ複数の前記拡張部材同士を結合する結合手段を有することを特徴とする請求項１乃至７のいずれかに記載のマットレス。
【請求項９】
前記本体におけるマットレス使用者の頭部を載置する側に枕を取り付ける枕取付手段を有することを特徴とする請求項１乃至８のいずれかに記載のマットレス。
【請求項１０】
マットレスの大きさを拡張する拡張部材であって、
前記拡張部材は、マットレスに着脱が可能であり、
マットレスに装着されていないときの拡張部材は、形態を変更可能であることを特徴とするマットレスの拡張部材。
【請求項１１】
複数の前記拡張部材が、マットレスの長手方向に配置されて、互いに着脱可能であることを特徴とする請求項１０に記載のマットレスの拡張部材。
【発明の詳細な説明】
【技術分野】
【０００１】
本発明は、敷き布団の下やベッドの上に配置して使用されるマットレス、並びに、マットレスの拡張部材に関するものである。
【背景技術】
【０００２】
弾力性を有するマットレスを使用すると、使用者は快適に就寝することができる。このマットレスには大きさの規格が存在するが、マットレスは子供から大人まで様々な身長の者が利用するものであり、大きさを変更できるのが好ましい。このような、大きさを変更することができるマットレスが、特許文献１に開示されている。特許文献１には、四角形の小型布団を面ファスナーで連結することにより、所望の大きさ（面積）の布団（マットレス）を構成することが開示されている。
【先行技術文献】
【特許文献】
【０００３】
【特許文献１】特開２００２−３４５５９９号公報
【発明の概要】
【発明が解決しようとする課題】
【０００４】
特許文献１では同じ大きさの小型布団を連結して所望の大きさの布団（マットレス）を構成するため、マットレスを配置する場所が狭い場合に対応しにくい。すなわち、大きさを調整するために小型布団を追加しようとしても、マットレスを配置する場所が狭い場合には、小型布団を追加することができない。
また、特許文献１の発明では、マットレスの大きさを変更することはできても、連結されずマットレスを構成していない小型布団は有効利用されていない。
【０００５】
そこで本発明は、マットレスの大きさを容易に変更することができるマットレス、並びに、マットレスの大きさを変更するのに使用されていない部材を、使用者の姿勢が楽になるように補助する補助具として利用することができるマットレスの拡張部材を提供することを目的としている。
【課題を解決するための手段】
【０００６】
上記課題を解決するための請求項１に記載の発明は、本体と、拡張部材と、本体に拡張部材を着脱可能に連結する連結手段を有し、前記連結手段を介して本体に拡張部材を連結することにより大きさを拡張できるマットレスであって、前記拡張部材は、本体よりも小さく、且つ、本体の長手方向の長さを拡張するものであることを特徴とするマットレスである。
【０００７】
請求項１に記載の発明では、連結手段によって本体に拡張部材を着脱可能に連結することができる。すなわち、必要に応じてマットレスの長手方向の長さを調整することができる。ここで、長手方向とは、マットレス上で就寝する就寝者（マットレスの使用者）の頭部側から足側に至る方向の長さである。
拡張部材は本体よりも小さいため、マットレスをベッド上に載置する際には、マットレスがベッドからはみ出しにくい。
拡張部材は、マットレスの長手方向の長さを５〜１０％程度延長するのが好ましい。また、本体の長手方向の両側に拡張部材を連結することによって、マットレスの長手方向の長さを１０〜２０％程度延長してもよい。
【０００８】
請求項２に記載の発明は、前記本体に連結されていない前記拡張部材は、形態を変更可能であることを特徴とするマットレスである。
【０００９】
請求項２に記載の発明では、本体に連結されていない拡張部材は、形態を変更可能であるので、形態を変更してマットレスの使用者の楽な姿勢を維持する就寝補助具として使用可能である。
すなわち、マットレス使用者が姿勢を変更した際には、拡張部材は、マットレス使用者が姿勢に応じてその都度形態を変更することができる。
例えば、マットレス使用者が仰向け姿勢のときには、拡張部材は、枕、背中当て、膝下当て等として使用することができ、横臥姿勢のときには、抱き枕として使用することもできる。
また、本体に連結されていない拡張部材を有効利用することができるので、当該拡張部材を収納する空間を確保する必要がない。
【００１０】
請求項３に記載の発明は、前記連結手段は、前記拡張部材を包含する包含部材で構成されており、拡張部材を包含した前記包含部材が、前記本体に着脱可能であることを特徴とする請求項１又は２に記載のマットレスである。
【００１１】
請求項３に記載の発明では、連結手段は、拡張部材を包含する包含部材で構成されており、拡張部材は包含部材に包含されていて、拡張部材と包含部材は一体化されている。そして、拡張部材を包含した包含部材が、本体に着脱可能であるので、拡張部材は本体に着脱可能に連結される。
【００１２】
包含部材が、本体に対して釦で固定されるのが好ましい（請求項４）。
【００１３】
請求項５に記載の発明は、前記拡張部材が、複数の分割片から成ることを特徴とする請求項１乃至４のいずれかに記載のマットレスである。
【００１４】
請求項５に記載の発明では、拡張部材が、複数の分割片から成るので、分割片同士を組み合わせて使用することができる。例えば、個々の分割片の形状（形態）を変更し、様々な形態を実現することができる。
拡張部材は、本体の長手方向（縦方向）と交差する方向（横方向）に分割されているのが好ましい。すなわち、各分割片同士が本体の横方向に直列に並ぶように分割されているのが好ましい。そして、これらの各分割片が、個々に形状（形態）を変更して互いに組み合わされると、全体として様々な形態を実現することができる。
【００１５】
前記拡張部材は、ヒンジ部を有し、前記ヒンジ部を中心に回動させることによって前記拡張部材の形態を変更可能であるのが好ましい（請求項６）。
ここでヒンジ部とは、一方と他方とを互いに相対回動できるように連結する連結構造を意味している。
【００１６】
請求項７に記載の発明は、前記連結手段は、前記本体におけるマットレス使用者の足を載置する側に設けられていることを特徴とする請求項１乃至６のいずれかに記載のマットレスである。
【００１７】
請求項７に記載の発明では、連結手段は、本体におけるマットレス使用者の足を載置する側に設けられているので、マットレス使用者の頭部側に枕を設置した場合、この枕の位置を変更する必要がない。すなわち、マットレスにおける使用者の頭部が載置される側の端部に拡張部材を連結すると、拡張部材を含めたマットレス全体の端部（拡張部材の端部）から枕までの距離が長くなる。よって、この場合には、拡張部材で拡張した分だけ枕を当該端部側へ移動させる必要がある。ところが、本発明では、連結手段がマットレスにおけるマットレス使用者の足を載置する側に設けられているので、連結手段で拡張部材を連結しても、マットレスにおける使用者の頭部載置側の端部から枕までの距離は変化しない。そのため、予めマットレスに設置された枕を動かすことなくマットレスの大きさ（長さ）を変更することができる。
【００１８】
請求項８に記載の発明は、マットレスの長手方向に並んだ複数の前記拡張部材同士を結合する結合手段を有することを特徴とする請求項１乃至７のいずれかに記載のマットレスである。
【００１９】
請求項８に記載の発明では、マットレスの長手方向に並んだ複数の拡張部材同士を結合する結合手段を有するので、マットレス使用者の身長に合わせて必要な数だけ拡張部材を連結することができる。すなわち、本発明によると、マットレスの大きさを調整し易い。
【００２０】
本体におけるマットレス使用者の頭部を載置する側に枕を取り付ける枕取付手段を有するのが好ましい（請求項９）。
【００２１】
請求項１０に記載の発明は、マットレスの大きさを拡張する拡張部材であって、前記拡張部材は、マットレスに着脱が可能であり、マットレスに装着されていないときの拡張部材は、形態を変更可能であることを特徴とするマットレスの拡張部材である。
【００２２】
請求項１０に記載の発明では、拡張部材は、マットレスに装着してマットレスの大きさを拡張することができると共に、マットレスに装着していないときの拡張部材は、形態を変更して、マットレス使用者が楽な姿勢を維持するのに利用することができる。
【００２３】
請求項１１に記載の発明は、複数の前記拡張部材が、マットレスの長手方向に配置されて、互いに着脱可能であることを特徴とする請求項１０に記載のマットレスの拡張部材である。
【００２４】
請求項１１に記載の発明では、複数の拡張部材が、マットレスの長手方向に配置されて、互いに着脱可能であるので、マットレスの大きさを容易に変更することができる。すなわち、マットレスの使用者の身長に合わせて、マットレスの大きさを容易に変更することができる。
【発明の効果】
【００２５】
本発明のマットレス、並びに、マットレスの拡張部材は、長手方向の長さを変更することができる。マットレスを構成する本体に対して拡張部材が小さいため、マットレスの長手方向の長さを微調整することができる。
【図面の簡単な説明】
【００２６】
【図１】本実施形態に係るマットレスの斜視図であり、（ａ）は組立図であり、（ｂ）は分解図である。
【図２】図１の拡張部材の斜視図であり、（ａ）は、拡張部材の一つの形態を示し、（ｂ）は、（ａ）とは相違する形態を示す。
【図３】図２の拡張部材を本体上に配置した状態を示す斜視図であり、（ａ）は、二つの拡張部材で滑らかな傾斜面を構成した状態を示し、（ｂ）は、二つの拡張部材が構成した傾斜面同士を離間して配置した状態を示し、（ｃ）は、二つの拡張部材の傾斜面を同じ向きに揃えて並べた状態を示し、（ｄ）は、傾斜面を構成した二つの拡張部材の傾斜面を上下に重ねた状態を示し、（ｅ）は、傾斜面を構成した二つの拡張部材の傾斜面を上下に重ねると共に、他のクッション部材と組み合わせて上側の拡張部材の傾斜面の角度を変更した状態を示す。
【図４】図１とは別の拡張部材を備えたマットレスの斜視図であり、（ａ）は、組立図であり、（ｂ）は、分解図であり、（ｃ）は、（ｂ）の拡張部材の形態を変更した状態を示す。
【図５】図１、図４とは別の拡張部材を備えたマットレスの斜視図であり、（ａ）は、組立図であり、（ｂ）は、分解図である。
【図６】（ａ）、（ｂ）は、本実施形態に係るマットレスを使用者が使用している状態を示す斜視図である。
【図７】（ａ）は、本体、装着具、枕、及び拡張部材を個別に示す分解斜視図であり、（ｂ）は、（ａ）の本体、装着具、枕、及び拡張部材を別の角度から見た分解斜視図である。
【図８】（ａ）は、図７（ａ）に示す本体の一方側に、装着具を介して枕が装着され、さらに本体の他方側に拡張部材が連結された状態を示す斜視図であり、（ｂ）は、（ａ）の拡張部材に、さらに別の拡張部材が連結する直前の状態を示す斜視図であり、（ｃ）は、（ｂ）において、別の拡張部材が、本体に連結された拡張部材に連結された状態を示す斜視図である。
【図９】（ａ）は、マットレス、装着具、及び枕の分解側面図であり、装着具のみを断面視して示しており、（ｂ）は、マットレスに装着具を取り付ける途中の状態と、装着具に枕を装着する途中の状態を示す側面図であり、（ｃ）は、装着具を介してマットレスに枕を装着した状態を示す側面図である。
【図１０】二つの拡張部材を並置してマットレスの長さを拡張する図８（ｃ）の形態の変形例を示す斜視図であり、（ａ）は、分解斜視図であり、（ｂ）は、組立斜視図である。
【図１１】マットレスの長さを拡張する図８（ｃ）の形態の図１０とは別の変形例を示す斜視図であり、（ａ）は、分解斜視図であり、（ｂ）は、組立斜視図である。
【発明を実施するための形態】
【００２７】
以下、図面を参照しながら説明する。
図１（ａ）、図１（ｂ）に示すように、マットレス１は、本体２、拡張部材３（マットレス拡張部材）、包含部材４（連結手段）を有している。
【００２８】
本体２は周知のマットレスと同様に、長手方向（縦方向）と短手方向（横方向）とを有する平面視して長方形のクッション性を有する部材を、被覆部材（生地）で被覆した構造を有している。ここで、長手方向（縦方向）とは、マットレス１上で就寝する就寝者（マットレス１の使用者）の頭部側から足側に至る方向の長さである。また、短手方向（横方向）とは、長手方向と直交する方向である。
【００２９】
本体２における、長手方向にのびる両側面であって、両端付近には、締結部材５ａ、５ｂが設けられている。締結部材５ａ、５ｂは、本実施形態では釦が採用されているが、その他、フック等の別の締結構造を採用することもできる。
【００３０】
拡張部材３は、本体２の端部に連結されて、マットレス１の長手方向の長さを拡張する部材である。拡張部材３は、分割片３ａ、３ｂで構成されている。分割片３ａ、３ｂは、本体２と同様にクッション性を有する部材を被覆部材（生地）で被覆した構造を有している。分割片３ｂは、分割片３ａと同じ構造を有しているため、以下では、分割片３ａの構造について説明し、分割片３ｂの重複する説明は省略する。
【００３１】
分割片３ａの被覆部材（表面を構成する部材）には、分割片３ａを先端構成部９ａと基端構成部９ｂの二つの部位に仕切る仕切部６（ヒンジ部）が設けられている。仕切部６は、直方体の分割片３ａの長手方向の側面８ｃ（図２（ａ））の中央部分に、長手方向に沿ってのびるように構成されている。
【００３２】
仕切部６は、分割片３ａを先端構成部９ａと基端構成部９ｂの二つの部位に仕切ると共に、ヒンジ（ヒンジ機構）として機能する部位である。すなわち仕切部６は、先端構成部９ａと基端構成部９ｂを互いに回動させることができる。換言すると、先端構成部９ａと基端構成部９ｂは、仕切部６を中心に互いに回動することができる。
【００３３】
先端構成部９ａと基端構成部９ｂには、それぞれ互いに対面接触する傾斜面７ａ、７ｂ（図２（ｂ））が設けられている。先端構成部９ａの自由端側（仕切部６とは反対側）の辺１０は、傾斜面７ａと直方体（図２（ａ））の天面８ａが交差する部位を構成している。
【００３４】
分割片３ａが直方体形状を呈するときには、傾斜面７ａ、７ｂが対向して密着し、辺１０は、図２（ａ）で見て側面８ｄの上端に位置している。また、図２（ｂ）に示すように、分割片３ａが三角柱形状を呈するときには、傾斜面７ａ、７ｂが同一面内に配置されると共に、図２（ａ）に示す直方体の底面８ｂと天面８ａが別の同一面内に配置される。そして辺１０は、図２（ｂ）に示すように、三角柱の先端（頂部）の位置に配置される。
【００３５】
すなわち、分割片３ａは、仕切部６を中心に先端構成部９ａと基端構成部９ｂが回動することによって、図２（ａ）に示す直方体形状と、図２（ｂ）に示す三角柱形状を呈することができる。
【００３６】
包含部材４（連結手段）は、本体２や分割片３ａを被覆する被覆部材と同様の素材（生地）で構成されている。また、包含部材４は、図２（ａ）に示すように、マットレス１の横幅に相当する長さを有し、内部に分割片３ａ、３ｂと、マットレス１の一部を収容することができる部材である。
【００３７】
包含部材４は、開口４ａを有している。この開口４ａを介して、包含部材４内に分割片３ａ、３ｂ及びマットレス１の一部を収容することができる。開口４ａ付近には、締結部材１１ａ、１１ｂが設けられている。締結部材１１ａ、１１ｂは、本体２の締結部材５ａ、５ｂに対応する位置に設けられている。
【００３８】
次に、マットレス１の使用方法について説明する。
【００３９】
マットレス１の全長を延ばす際には、本体２に対して拡張部材３を装着する。すなわち、包含部材４内に拡張部材３（分割片３ａ、３ｂ）を収容し、さらに包含部材４内に本体２の一部を収容する。換言すると、拡張部材３を収容した包含部材４を、本体２の端部に装着する。そして、図１（ａ）に示すように、包含部材４の締結部材１１ａ、１１ｂと、本体２の締結部材５ａ、５ｂを結合する。図１（ａ）では、本体２の両端に拡張部材３を連結してマットレス１の全長を延ばす例を示したが、本体２の片方の端部のみに拡張部材３を装着してもよい。
【００４０】
本体２には、包含部材４を介して拡張部材３が連結されるため、本体２と拡張部材３の境界部分が包含部材４で覆われている。また、本体２と包含部材４は、締結部材５ａ、５ｂ、１１ａ、１１ｂによって締結されている。そのため、本体２と拡張部材３が離間することがない。さらに、包含部材４は、生地で形成されているため、厚みが少なく、本体２との段差が少ない。そのため、マットレスの使用者に違和感を与えない。
その結果、マットレスの使用者は、快適にマットレス１を使用することができる。
【００４１】
図２（ａ）、図２（ｂ）に示す分割片３ａ（拡張部材３）は、本体２に連結されていないときには、例えば図６（ａ）に示すように、使用者が楽な姿勢を維持するために使用することができる。図６（ａ）では、図３（ａ）及び図３（ｅ）に示すように組み合わされた分割片３ａ、３ｂによって、使用者の頭部が高い位置となる姿勢を維持すると共に、膝関節が自然に曲がった姿勢を維持することができる状態を示している。図６（ａ）に示す例では、拡張部材３とは別のクッション３５を併用し、使用者の頭部が高い位置で維持できるように工夫されている。
【００４２】
また、使用者が、図６（ａ）に示す姿勢を崩したいときには、別の楽な姿勢を維持できるように、分割片３ａ、３ｂの形態、組み合わせ、レイアウト等を任意に変更することができる。例えば、横臥姿勢（横向き）を維持する場合には、両膝で分割片３ａを挟み、側頭部の下に分割片３ｂを配置することもできる。
【００４３】
拡張部材３（分割片３ａ、３ｂ）は、本体２（マットレス１）の長手方向の長さを５〜１０％程度延長するのが好ましい。また、本体２の長手方向の両側に拡張部材３（分割片３ａ、３ｂ）を連結することによって、マットレス１の長手方向の長さを１０〜２０％程度延長してもよい。拡張部材３（分割片３ａ、３ｂ）は本体２よりも小さいため、マットレス１をベッド（図示せず）に載置する際には、マットレス１がベッドからはみ出しにくい。
【００４４】
本実施形態においては、拡張部材３を二つの分割片３ａ、３ｂで構成する場合について説明したが、三つ以上の分割片で拡張部材３を構成することもできる。また、分割片３ａ、３ｂのように分割せず、図４（ｂ）に示すように、一続きの拡張部材１２としてもよい。拡張部材１２も、拡張部材３と同様に、マットレス２１の長手方向の長さを拡張する部材である。
【００４５】
図４（ｂ）に示すマットレス２１では、図１に示す本体２と包含部材４が使用されており、包含部材４内には拡張部材１２が収容される。すなわち、拡張部材１２は、分割片３ａ、３ｂを併せた長さを有する部材である。
【００４６】
図４（ｂ）に示す例では、拡張部材１２は、上部構成部１２ａと下部構成部１２ｂを有し、両者が仕切部１３で接続された構造を有している。上部構成部１２ａと下部構成部１２ｂは、図４（ｂ）に示すように直方体形状の姿勢（閉じた姿勢）を呈することができる。図４（ｂ）に示す閉じた状態の拡張部材１２は、図６（ｂ）に示すように、使用者の膝下に置いて使用することができる。
【００４７】
また、使用者がマットレス２１上で図６（ｂ）に示す仰向け状態から横臥状態に姿勢を変更したい場合には、図６（ｂ）に示す拡張部材１２を外し、代わりに側頭部を載置できるように拡張部材１２を頭部の下に配置することもできる。
【００４８】
さらに、仕切部１３を中心に両構成部１２ａ、１２ｂが相対回動すると、図４（ｃ）に示すように、拡張部材１２は、扁平形状（開いた姿勢）を呈することができる。
【００４９】
図５（ａ）、図５（ｂ）は、本発明の別の実施形態に係るマットレス３１の組立斜視図及び分解斜視図である。
マットレス３１は、本体３２と拡張部材３３を有している。本体３２と拡張部材３３は、ファスナー３４で着脱が可能である。
本体３２と拡張部材３３の大きさは、図４（ｂ）に示す本体２、拡張部材１２と同程度の大きさである。拡張部材３３は、本体３２の長手方向の端部に連結され、マットレス３１の長さを拡張する機能を有する。
【００５０】
拡張部材３３は、図２に示す拡張部材３の分割片３ａのように、仕切部３６で仕切られた先端構成部３７と基端構成部３８を有している。そして、仕切部３６を中心に回動することができ、直方体形状と三角柱形状を呈することができる。
【００５１】
次に、さらに別の実施形態について、図７、図８を参照しながら説明する。
図７（ａ）、図７（ｂ）に示すように、マットレス４１は、本体２と拡張部材１６を有する。本体２の長手方向の一端側には、ファスナー２４（連結手段）の一部を構成する一片２２が設けられている。この一片２２が設けられた本体２の一端側は、マットレス使用者の足を載置する側として想定されている。また、一片２２が設けられた一端側とは反対側の他端側が、マットレス使用者の頭部を載置する側として想定されている。
【００５２】
拡張部材１６は、本体２の幅と略一致する長さを有する四角柱形状を呈する部材である。拡張部材１６は上面１６ａを有し、上面１６ａは、本体２の上面と高さが略一致している。すなわち、拡張部材１６は、上面１６ａによって本体２の上面の面積を拡げることができる。また、拡張部材１６は、長手方向に半割状に開いて厚みを半分とし、且つ、面積を倍にする形態に変化することができる。
【００５３】
拡張部材１６の上面１６ａの長手方向に延びる一方側の辺には、一片２５が設けられており、他方側の辺には、他片２３が設けられている。拡張部材１６の他片２３は、本体２の一片２２と共にファスナー２４（連結手段）を構成する。
【００５４】
また、拡張部材１６の上面１６ａには、カバー１７が設けられている。カバー１７は、他片２３に沿って延びる細長い薄片である。すなわち、カバー１７は、上面１６ａの一部又は全部を覆うことができる大きさ（面積）を有する薄片である。カバー１７は、上面１６ａから離間する方向に回動して裏返り、他片２３を覆うことができる。
【００５５】
このような拡張部材１６を本体２に連結することにより、マットレス４１の面積を拡大することができる。すなわち、図７（ａ）に示す本体２の一片２２と拡張部材１６の他片２３を結合する（図８（ａ）に示すようにファスナー２４を締める）ことにより、本体２と拡張部材１６を着脱可能に連結することができる。また、図８（ｂ）に示すように、拡張部材１６のカバー１７を裏返すことにより、カバー１７でファスナー２４を覆い、ファスナー２４を隠すことができる。
【００５６】
本体２と一体化された拡張部材１６には、さらに別の拡張部材１６を連結し、マットレス４１の面積をさらに拡張することができる。すなわち、図８（ｂ）に示すように、本体２に連結された拡張部材１６の一片２５と、別の拡張部材１６の他片２３によってファスナー２６（結合手段）が構成される。ファスナー２６を締結することにより、図８（ｃ）に示すように、拡張部材１６同士が連結されて一体化される。このように、マットレス４１は、使用者の身長に合わせて同じ構造の拡張部材１６を連結して大きさを拡張することができる。
【００５７】
一方、本体２の他方側（使用者の頭部を配置する側）には、図８（ａ）等に示すように、装着具１５（枕取付手段）を介して枕１４が装着されている。
【００５８】
装着具１５は、周知の布生地で形成されている。図７（ａ）、図７（ｂ）に示すように、装着具１５は、開口４５ａを有する第１空間４５と、開口４６ａを有する第２空間４６を備えている。開口４５ａは、第１空間４５の出入口を構成しており、開口４６ａは、第２空間４６の出入口を構成している。第１空間４５と第２空間４６は、布生地からなる仕切４７（図９（ａ））によって仕切られている。すなわち、第１空間４５と第２空間４６の間には仕切４７があり、両者は連続していない。第１空間４５は、第２空間４６の下方に設けられている。
【００５９】
また、開口４５ａと開口４６ａは、互いに反対側に設けられている。すなわち、装着具１５の一方側に開口４５ａ（第１開口）が設けられており、装着具１５の他方側に開口４６ａ（第２開口）が設けられている。具体的には、開口４５ａは、マットレス４１が配置された側（図９（ａ）で見て右側）に設けられており、開口４６ａは、マットレス４１が配置された側とは反対側（図９（ａ）で見て左側）に設けられている。
【００６０】
図７（ｂ）に示すように、第１空間４５は有底であり、底部４５ｂを有している。すなわち、第１空間４５における開口４５ａとは反対側に底部４５ｂが設けられている。
第２空間４６も有底であり、底部４６ｂ（図７（ａ））を有している。すなわち、第２空間４６における開口４６ａとは反対側に底部４６ｂが設けられている。
【００６１】
次に、装着具１５を介して枕１４をマットレス４１に取り付ける方法について説明する。
本実施形態では、マットレス４１における使用者の頭部を載置する側から、マットレス４１を、開口４５ａ（第１開口）を介して第１空間４５内に収容し、マットレス４１に装着具１５を取り付けることを想定している。
【００６２】
図９（ａ）に示すように、装着具１５の開口４５ａ側にマットレス４１を配置し、開口４６ａ側に枕１４を配置する。図９（ｂ）、図９（ｃ）に示すように、開口４５ａを介してマットレス４１を第１空間４５内に収容し、装着具１５をマットレス４１に取り付ける。
【００６３】
本実施形態では、装着具１５はマットレス４１に対して短い。また、マットレス４１（本体２）の端部が、第１空間４５の底部４５ｂに当接している。マットレス４１の端部が底部４５ｂに当接したとき、装着具１５は、マットレス４１の一部のみを収容してマットレス４１に取り付けられている。
【００６４】
また、開口４６ａを介して第２空間４６内に枕１４を収容する。すなわち、装着具１５の第２空間４６は、枕１４を収容する収容部として機能する。第２空間４６には底部４６ｂが設けられており、有底である。そのため、枕１４は第２空間４６の範囲内でのみ移動が可能である。すなわち、枕１４の移動可能な範囲は、第２空間４６内に限定されている。
【００６５】
マットレス４１（本体２）の端部が、底部４５ｂに当接してマットレス４１（本体２）と装着具１５の位置が固定されており、また、枕１４の移動が第２空間４６の範囲内に限定されている。その結果、マットレス４１に対する枕１４の位置がほぼ固定される。この枕１４がマットレス４１に対して固定された位置は、図９（ｃ）に示すように、本体２のみでは足がマットレス４１からはみ出してしまうような、比較的背が高い使用者の頭部がちょうど配置される位置である。枕１４は、装着具１５の第２空間４６内に収容されているため、使用者は直に枕１４に触れることがない。そのため、使用者の寝返り等の動作によって枕１４が第２空間４６内を移動することはほとんどない。
【００６６】
このように、装着具１５によって、マットレス４１に枕１４が装着されている。また、装着具１５は、マットレス４１のカバーとして機能している。すなわち、マットレス４１における装着具１５が装着された部位は、装着具１５によって覆われており、第２空間４６から枕１４が取り出されても、マットレス４１における装着具１５で覆われた部位は外部に露出しない。
【００６７】
さらに、マットレス４１（本体２）と枕１４は、仕切４７によって隔離されている。そのため、装着具１５に対して枕１４を出し入れしても、枕１４がマットレス４１と摩擦することがない。よって、マットレス４１は汚れにくく、また、破損しにくい。
【００６８】
マットレス４１は、使用者の足を載置する側の端部側に拡張部材１６を必要な数だけ連結して拡張することができる。すなわち、マットレス４１では、使用者の頭部を載置する側に装着具１５を装着しているが、図８（ｂ）、図８（ｃ）に示すように、使用者の足を載置する側の端部に、拡張部材１６の一片２５（ファスナー２６の一部）が露出している。そのため、マットレス４１の本体２や、本体２に一体化された拡張部材１６に対して、拡張部材１６を連結し、マットレス４１の大きさを容易に拡張することができる。
【００６９】
なお、図９では、図示の都合上、装着具１５と枕１４、装着具１５とマットレス４１の本体２との間に、相当な隙間があるように描写しているが、実際には、装着具１５は枕１４及び本体２と密着している。
【００７０】
マットレス４１の長さを拡張する拡張部材１６は、ファスナー２４、２６によらず、図１０に示す包含部材４８で本体２に連結することもできる。すなわち、図１０（ａ）に示すように、包含部材４８の内部に、二つ（複数）の拡張部材１６を同時に収容する。さらに、包含部材４８に本体２の一部を収容する。そして、図１０（ｂ）に示すように、釦50で包含部材４８を本体２に固定する。
【００７１】
また、二つの拡張部材１６の代わりに、二つの拡張部材１６を合わせた大きさの拡張部材４９（図１１（ａ））を使用することもできる。すなわち、図１１（ａ）に示す包含部材４８の内部に拡張部材４９を収容し、さらに包含部材４８に本体２の一部を収容する。そして、図１１（ｂ）に示すように、釦50で包含部材４８を本体２に固定し、マットレス４１ａを構成する。
【００７２】
このように、拡張部材の大きさは、任意に選定することができる。また、拡張部材を本体に連結する形態も適宜選定が可能である。
【符号の説明】
【００７３】
１、２１、３１、４１  マットレス
２、３２        本体
３、１２、１６、３３  拡張部材
３ａ、３ｂ      分割片
４              包含部材（連結部材）
５ａ、５ｂ      締結部材（釦）
６              仕切部（ヒンジ部）
【図１】
2020124457.tif 000003
【図２】
2020124457.tif 000004
【図３】
2020124457.tif 000005
【図４】
2020124457.tif 000006
【図５】
2020124457.tif 000007
【図６】
2020124457.tif 000008
【図７】
2020124457.tif 000009
【図８】
2020124457.tif 000010
【図９】
2020124457.tif 000011
【図１０】
2020124457.tif 000012
【図１１】
2020124457.tif 000013